(57)【特許請求の範囲】
【請求項１】
開口部を通過する光線の光量を調節する光量調節装置であって、
透明な領域と透明でない領域とを有するフィルタであって、退避位置と使用位置との間において前記開口部と対向する領域を含む領域を移動する第１のフィルタおよび第２のフィルタと、
前記開口部を有する地板と、
前記第１のフィルタおよび前記第２のフィルタの前記使用位置を定める部分と、
前記第１のフィルタおよび前記第２のフィルタの前記退避位置を定める部分と、を有し、
前記第１のフィルタおよび前記第２のフィルタが前記退避位置にあるときに、前記第１のフィルタおよび前記第２のフィルタの前記透明な領域が前記開口部の領域全体と対向する位置で重なり、
前記透明でない領域は、光学濃度が略均一な領域である均一濃度領域と、前記透明な領域と前記均一濃度領域との間に配置される領域であって、前記透明な領域から前記均一濃度領域にかけて光学濃度が連続的に変化する領域であるグラデーション領域とを有し、
前記第１のフィルタおよび前記第２のフィルタが前記使用位置にあるときに、前記第１のフィルタの前記透明な領域と前記第２のフィルタの前記均一濃度領域とが前記開口部と対向する位置で重なり、且つ、前記第１のフィルタの前記均一濃度領域と前記第２のフィルタの前記透明な領域とが前記開口部と対向する位置で重なり、且つ、前記第１のフィルタおよび前記第２のフィルタの前記グラデーション領域が前記開口部と対向する位置で重なり、
前記地板は、
前記第１のフィルタが回動可能に取り付けられる軸と、
前記第２のフィルタが回動可能に取り付けられる軸と、をさらに有し、
前記第１のフィルタおよび前記第２のフィルタは、前記使用位置と前記退避位置との間で回動し、
前記第１のフィルタおよび前記第２のフィルタの前記使用位置を定める部分の位置誤差δ［ｍｍ］と、前記軸と光軸中心との距離に対する、前記第１のフィルタおよび前記第２のフィルタの前記使用位置を定める部分と前記軸との距離の比αと、前記グラデーション領域における１［ｍｍ］当たりの光学濃度の変化量である濃度変化率ｄ［／ｍｍ］との間に以下の（Ａ）式の関係が成り立つことを特徴とする光量調節装置。
０．１＜δ×α×２×ｄ＜０．６  ・・・（Ａ）
【請求項２】
以下の（Ｂ）式の関係が成り立つことを特徴とする請求項１に記載の光量調節装置。
０．５／α＜ｄ＜３／α  ・・・（Ｂ）
【請求項３】
前記第１のフィルタおよび前記第２のフィルタを回動させるためのアクチュエータをさらに有し、
前記地板は、前記第１のフィルタおよび第２のフィルタが回動する範囲を規制するための穴をさらに有し、
前記第１のフィルタは、前記地板に形成された穴と対向するように配置される穴をさらに有し、
前記第２のフィルタは、前記地板に形成された穴と対向するように配置される穴をさらに有し、
前記アクチュエータは、前記第１のフィルタ、前記第２のフィルタ、および前記地板に形成された前記穴に挿通される棒状の部材を有し、前記棒状の部材を動かすことにより前記第１のフィルタおよび前記第２のフィルタを回動させ、
前記第１のフィルタおよび前記第２のフィルタの前記使用位置を定める部分と、前記第１のフィルタおよび前記第２のフィルタの前記退避位置を定める部分は、前記棒状の部材が前記地板に形成された前記穴と当接する部分であることを特徴とする請求項１または２に記載の光量調節装置。
【請求項４】
開口部を通過する光線の光量を調節する光量調節装置であって、
透明な領域と透明でない領域とを有するフィルタであって、退避位置と使用位置との間において前記開口部と対向する領域を含む領域を移動する第１のフィルタおよび第２のフィルタと、
前記開口部を有する地板と、
前記第１のフィルタおよび前記第２のフィルタの前記使用位置を定める部分と、
前記第１のフィルタおよび前記第２のフィルタの前記退避位置を定める部分と、を有し、
前記第１のフィルタおよび前記第２のフィルタが前記退避位置にあるときに、前記第１のフィルタおよび前記第２のフィルタの前記透明な領域が前記開口部の領域全体と対向する位置で重なり、
前記第１のフィルタおよび前記第２のフィルタが前記使用位置にあるときに、前記第１のフィルタの前記透明な領域と前記第２のフィルタの前記透明でない領域とが前記開口部と対向する位置で重なると共に、前記第１のフィルタの前記透明でない領域と前記第２のフィルタの前記透明な領域とが前記開口部と対向する位置で重なり、
前記第１のフィルタおよび前記第２のフィルタの前記使用位置を定める部分は、前記地板と異なる部材であり、
前記部材の前記地板に対する位置を調整することで前記第１のフィルタと前記第２のフィルタの使用位置が調整され、
前記地板は、
前記第１のフィルタが回動可能に取り付けられる軸と、
前記第２のフィルタが回動可能に取り付けられる軸と、をさらに有し、
前記第１のフィルタおよび前記第２のフィルタは、前記使用位置と前記退避位置との間で回動し、
前記第１のフィルタと前記第２のフィルタは、前記使用位置にあるときに前記部材に当接する当接部を有することを特徴とする光量調節装置。
【請求項５】
前記透明でない領域は、光学濃度が略均一な領域であることを特徴とする請求項４に記載の光量調節装置。
【請求項６】
前記透明でない領域は、光学濃度が略均一な領域である均一濃度領域と、前記透明な領域と前記均一濃度領域との間に配置される領域であって、前記透明な領域から前記均一濃度領域にかけて光学濃度が連続的に変化する領域であるグラデーション領域とを有し、
前記第１のフィルタおよび前記第２のフィルタが前記使用位置にあるときに、前記第１のフィルタの前記透明な領域と前記第２のフィルタの前記均一濃度領域とが前記開口部と対向する位置で重なり、且つ、前記第１のフィルタの前記均一濃度領域と前記第２のフィルタの前記透明な領域とが前記開口部と対向する位置で重なり、且つ、前記第１のフィルタおよび前記第２のフィルタの前記グラデーション領域が前記開口部と対向する位置で重なることを特徴とする請求項４に記載の光量調節装置。
【請求項７】
前記第１のフィルタの当接部は、前記第１のフィルタの前記透明でない領域を挟んで、前記第１のフィルタの回動軸の反対側の端部に形成されており、
前記第２のフィルタの当接部は、前記第１のフィルタの前記透明でない領域を挟んで、前記第２のフィルタの回動軸の反対側の端部に形成されていることを特徴とする請求項４〜６の何れか１項に記載の光量調節装置。
【請求項８】
１つの前記部材で、前記第１のフィルタと前記第２のフィルタの両方の前記使用位置を定めることを特徴とする請求項４〜７の何れか１項に記載の光量調節装置。
【請求項９】
前記第１のフィルタおよび前記第２のフィルタを回動させるためのアクチュエータをさらに有し、
前記地板は、前記第１のフィルタおよび第２のフィルタが回動する範囲を規制するための穴をさらに有し、
前記第１のフィルタは、前記地板に形成された穴と対向するように配置される穴をさらに有し、
前記第２のフィルタは、前記地板に形成された穴と対向するように配置される穴をさらに有し、
前記アクチュエータは、前記第１のフィルタ、前記第２のフィルタ、および前記地板に形成された前記穴に挿通される棒状の部材を有し、前記棒状の部材を動かすことにより前記第１のフィルタおよび前記第２のフィルタを回動させ、
前記第１のフィルタおよび前記第２のフィルタの前記退避位置を定める部分は、前記棒状の部材が前記地板に形成された前記穴と当接する部分であることを特徴とする請求項４〜８の何れか１項に記載の光量調節装置。
【請求項１０】
前記第１のフィルタおよび前記第２のフィルタが前記使用位置にあるときに前記開口部と対向する位置で重なり合う前記第１のフィルタおよび前記第２のフィルタの光学濃度を合成した値が略均一であることを特徴とする請求項１〜９の何れか１項に記載の光量調節装置。
【請求項１１】
請求項１〜１０の何れか１項に記載の光量調節装置を有することを特徴とするレンズ鏡筒。
【請求項１２】
請求項１〜１０の何れか１項に記載の光量調節装置と、撮像素子とを有することを特徴とする光学装置。
【発明の詳細な説明】
【技術分野】
【０００１】
本発明は、光量調節装置、レンズ鏡筒、および光学装置に関し、特に、入射する光量を調節するために用いて好適なものである。
【背景技術】
【０００２】
適切な露光量を得るための光量調節装置を備えた光学装置の一例として、レンズ鏡筒内にＮＤフィルタを備えたカメラが知られている。
レンズ鏡筒内の光量調節装置は、絞りの近傍に配置されることが多い。光量調節装置は、光束が通過する開口径の全体を覆うサイズで形成されたＮＤフィルタを備える。一般的なＮＤフィルタは、開口部を完全に覆う位置と、開口部から完全に退避する位置との間を移動可能に支持される。そのため、一般的な光量調節装置の外径サイズは、退避したＮＤフィルタを収容するスペースを考え、少なくとも開口径の３倍の径が必要となる。
【０００３】
また、ＮＤフィルタを複数備える光量調節装置も知られている。特許文献１及び特許文献２に記載の光学機器は、均一な透過率を有する透明部と、連続的に変化する透過率を有するグラデーション部とをそれぞれが有する２つのＮＤフィルタを備える。高輝度被写体を撮影する際に、２つのＮＤフィルタが開口部を覆うように配置され、適切な光量となるように減光する。その際、各ＮＤフィルタの位置によって、グラデーション部が開口部内に挿入される量が変化し、２つのＮＤフィルタを重ねた合成濃度が変化する。従って、各ＮＤフィルタの位置を調節することによって、光量を無段階に調節することが可能である。
【先行技術文献】
【特許文献】
【０００４】
【特許文献１】特開２００７−２９２８２８号公報
【特許文献２】特開２０１１−２４８０２９号公報
【発明の概要】
【発明が解決しようとする課題】
【０００５】
近年、カメラの小型化が進む一方で、大型の撮像素子やＦ値の小さい光学系（即ち、開放径の大きな光学系）をカメラに搭載することが要求されている。即ち、レンズ鏡筒を小型に構成しながら、ＮＤフィルタが覆う開口径を大型化することが要求されている。
【０００６】
しかしながら、単一のＮＤフィルタを備えた光量調節装置は、前述の通り少なくとも開口径の３倍の外径サイズを必要とする。このため、開口径が大型化すると光量調節装置のサイズも大型化し、カメラの小型化を阻害する。
【０００７】
特許文献１に記載の光量調節装置は、２つのＮＤフィルタの合成濃度を無段階で調節可能とするため、グラデーション領域の幅が広く取られている。これにより、光量調節装置のサイズも大型化する。
【０００８】
特許文献２に記載の光量調節装置は、２つのＮＤフィルタのそれぞれに透明領域が設けられる。ＮＤフィルタの退避時には、透明領域も含めて開口部から退避する必要がある。従って、退避したＮＤフィルタの収容スペースが大きくなる。これにより、光量調節装置のサイズも大型化する。
本発明は、以上の問題点に鑑みてなされたものであり、光量調節装置を小型化することを目的とする。
【課題を解決するための手段】
【０００９】
本発明の光量調節装置の第１の例は、開口部を通過する光線の光量を調節する光量調節装置であって、透明な領域と透明でない領域とを有するフィルタであって、退避位置と使用位置との間において前記開口部と対向する領域を含む領域を移動する第１のフィルタおよび第２のフィルタと、前記開口部を有する地板と、前記第１のフィルタおよび前記第２のフィルタの前記使用位置を定める部分と、前記第１のフィルタおよび前記第２のフィルタの前記退避位置を定める部分と、を有し、前記第１のフィルタおよび前記第２のフィルタが前記退避位置にあるときに、前記第１のフィルタおよび前記第２のフィルタの前記透明な領域が前記開口部の領域全体と対向する位置で重なり、前記透明でない領域は、光学濃度が略均一な領域である均一濃度領域と、前記透明な領域と前記均一濃度領域との間に配置される領域であって、前記透明な領域から前記均一濃度領域にかけて光学濃度が連続的に変化する領域であるグラデーション領域とを有し、前記第１のフィルタおよび前記第２のフィルタが前記使用位置にあるときに、前記第１のフィルタの前記透明な領域と前記第２のフィルタの前記均一濃度領域とが前記開口部と対向する位置で重なり、且つ、前記第１のフィルタの前記均一濃度領域と前記第２のフィルタの前記透明な領域とが前記開口部と対向する位置で重なり、且つ、前記第１のフィルタおよび前記第２のフィルタの前記グラデーション領域が前記開口部と対向する位置で重なり、前記地板は、前記第１のフィルタが回動可能に取り付けられる軸と、前記第２のフィルタが回動可能に取り付けられる軸と、をさらに有し、前記第１のフィルタおよび前記第２のフィルタは、前記使用位置と前記退避位置との間で回動し、前記第１のフィルタおよび前記第２のフィルタの前記使用位置を定める部分の位置誤差δ［ｍｍ］と、前記軸と光軸中心との距離に対する、前記第１のフィルタおよび前記第２のフィルタの前記使用位置を定める部分と前記軸との距離の比αと、前記グラデーション領域における１［ｍｍ］当たりの光学濃度の変化量である濃度変化率ｄ［／ｍｍ］との間に以下の（Ａ）式の関係が成り立つことを特徴とする。
０．１＜δ×α×２×ｄ＜０．６  ・・・（Ａ）
本発明の光量調節装置の第２の例は、開口部を通過する光線の光量を調節する光量調節装置であって、透明な領域と透明でない領域とを有するフィルタであって、退避位置と使用位置との間において前記開口部と対向する領域を含む領域を移動する第１のフィルタおよび第２のフィルタと、前記開口部を有する地板と、前記第１のフィルタおよび前記第２のフィルタの前記使用位置を定める部分と、前記第１のフィルタおよび前記第２のフィルタの前記退避位置を定める部分と、を有し、前記第１のフィルタおよび前記第２のフィルタが前記退避位置にあるときに、前記第１のフィルタおよび前記第２のフィルタの前記透明な領域が前記開口部の領域全体と対向する位置で重なり、前記第１のフィルタおよび前記第２のフィルタが前記使用位置にあるときに、前記第１のフィルタの前記透明な領域と前記第２のフィルタの前記透明でない領域とが前記開口部と対向する位置で重なると共に、前記第１のフィルタの前記透明でない領域と前記第２のフィルタの前記透明な領域とが前記開口部と対向する位置で重なり、前記第１のフィルタおよび前記第２のフィルタの前記使用位置を定める部分は、前記地板と異なる部材であり、前記部材の前記地板に対する位置を調整することで前記第１のフィルタと前記第２のフィルタの使用位置が調整され、前記地板は、前記第１のフィルタが回動可能に取り付けられる軸と、前記第２のフィルタが回動可能に取り付けられる軸と、をさらに有し、前記第１のフィルタおよび前記第２のフィルタは、前記使用位置と前記退避位置との間で回動し、前記第１のフィルタと前記第２のフィルタは、前記使用位置にあるときに前記部材に当接する当接部を有することを特徴とする。
【発明の効果】
【００１０】
本発明によれば、小型の光量調節装置を提供することができる。
【図面の簡単な説明】
【００１１】
【図１】撮像装置の構成の一例を示す図である。
【図２】第１の実施形態の光量調節装置の分解斜視図である。
【図３】ＮＤフィルタの位置関係の第１の例を示す図である。
【図４】ＮＤフィルタの光学濃度の第１の例を示す図である。
【図５】ＮＤフィルタの位置関係の第２の例を示す図である。
【図６】ＮＤフィルタの光学濃度の第２の例を示す図である。
【図７】ＮＤフィルタの位置関係の第３の例を示す図である。
【図８】ＮＤフィルタの光学濃度の第３の例を示す図である。
【図９】ＮＤフィルタの光学濃度の第４の例を示す図である。
【図１０】ＮＤフィルタの光学濃度の第５の例を示す図である。
【図１１】第４の実施形態の光量調節装置の分解斜視図である。
【図１２】ＮＤフィルタの基準となる位置関係の一例を示す図である。
【図１３】ＮＤフィルタの重なり量を調整する様子の第１の例を示す図である。
【図１４】ＮＤフィルタの重なり量を調整する様子の第２の例を示す図である。
【発明を実施するための形態】
【００１２】
以下、図面を参照しながら、実施形態を説明する。
（第１の実施形態）
第１の実施形態を説明する。
まず、光量調節装置の適用例である撮像装置の概略を説明する。
図１は、撮像装置の概略構成の一例を示す図である。
【００１３】
図１において、撮像装置１００は、カメラ本体１１０とレンズ鏡筒１２０とを有する。レンズ鏡筒１２０は、カメラ本体１１０に装着されるものでも、カメラ本体１１０と一体となっているものでもよい。即ち、光量調節装置１０は、カメラ本体１１０とは独立したレンズ鏡筒１２０に配置しても、レンズ鏡筒１２０と一体となった撮像装置１００に配置してもよい。尚、撮像装置以外の光学装置に光量調節装置を配置してもよい。
【００１４】
レンズ鏡筒１２０は、１群レンズＬ１、２群レンズＬ２、３群レンズＬ３、絞り１２１、および光量調節装置１０を含む撮像レンズ光学系を有する。また、本実施形態では、レンズ鏡筒１２０に撮像素子１２３が取り付けられる。
【００１５】
さらに、レンズ鏡筒１２０は、駆動装置１２４を有する。駆動装置１２４は、レンズ鏡筒１２０の各部を駆動させるためのものである。１群レンズＬ１、２群レンズＬ２、３群レンズＬ３、絞り１２１、および光量調節装置１０の動作は、駆動装置１２４により個別に制御される。
カメラ本体１１０は、Ａ／Ｄ変換器１１１、画像処理部１１２、表示部１１３、操作部１１４、記憶部１１５、およびシステム制御部１１６を有する。
被写体の像は、撮像レンズ光学系を介して撮像素子１２３に結像される。撮像素子１２３は、結像された被写体の像（光信号）をアナログの電気信号に変換する。Ａ／Ｄ変換器１１１は、撮像素子１２３から出力されたアナログの電気信号をデジタルの電気信号（画像信号）に変換する。画像処理部１１２は、Ａ／Ｄ変換器１１１から出力されたデジタルの電気信号（画像信号）に対して種々の画像処理を行う。
【００１６】
表示部１１３は、各種の情報を表示する。表示部１１３は、例えば、電子ビューファインダや液晶パネルを用いることにより実現される。操作部１１４は、撮像装置１００に対する指示をユーザが行うためのユーザインタフェースとしての機能を有する。尚、表示部１１３がタッチパネルを有する場合には、当該タッチパネルも操作部１１４の一つになる。
【００１７】
記憶部１１５は、画像処理部１１２で画像処理が行われた画像データ等、各種のデータを記憶する。また、記憶部１１５は、プログラムも記憶する。記憶部１１５は、例えば、ＲＯＭ、ＲＡＭ、およびＨＤＤを用いることにより実現される。
システム制御部１１６は、撮像装置１００全体を統括制御する。システム制御部１１６は、例えば、ＣＰＵを用いることにより実現される。
【００１８】
図２は、光量調節装置１０の分解斜視図である。
光量調節装置１０は、ＮＤフィルタ１、ＮＤフィルタ２、アクチュエータ３、および地板４を有する。
ＮＤフィルタ１は、減光フィルタであり、第１のフィルタの一例である。ＮＤフィルタ１には、地板４の軸４ｂに嵌合する穴１ａと、アクチュエータ３の駆動ピン３ｂが挿通する長穴１ｂとが形成されている。ＮＤフィルタ１には、減光のための蒸着膜が形成されている。蒸着膜により、均一濃度領域の一例である均一濃度部１ｃと、グラデーション領域の一例であるグラデーション部１ｄと、透明な領域の一例である透明部１ｅとの３つの部分が形成される。均一濃度部１ｃには、均一な光学濃度になるように（不透明または半透明の）蒸着膜がＮＤフィルタ１の基材上に形成されている。グラデーション部１ｄには、均一濃度部１ｃに接する位置から透明部１ｅに接する位置に向けて徐々に光学濃度が薄くなるようにグラデーション状の蒸着膜がＮＤフィルタ１の基材上に形成されている。透明部１ｅには、均一で透明な部分である。尚、ＮＤフィルタ１の基材は透明である。従って、透明部１ｅには蒸着膜は形成されない。ただし、透明の蒸着膜を基材上に形成して透明部１ｅを構成してもよい。
【００１９】
ＮＤフィルタ２は、ＮＤフィルタ１と同様の減光フィルタであり、第２のフィルタの一例である。ＮＤフィルタ２には、地板４の軸４ｃに嵌合する穴２ａと、アクチュエータ３の駆動ピン３ｂが挿通する長穴２ｂとが形成されている。ＮＤフィルタ１と同様に、ＮＤフィルタ２に形成されている蒸着膜により、均一濃度領域の一例である均一濃度部２ｃと、グラデーション領域の一例であるグラデーション部２ｄと、透明な領域の一例である透明部２ｅとの３つの部分が形成される。均一濃度部２ｃには、均一な光学濃度になるように（不透明または半透明の）蒸着膜がＮＤフィルタ１の基材上に形成されている。グラデーション部２ｄには、均一濃度部２ｃから透明部２ｅに向けて徐々に光学濃度が薄くなるようにグラデーション状の蒸着膜がＮＤフィルタ１の基材上に形成されている。透明部２ｅには、均一で透明な部分である。尚、ＮＤフィルタ１の基材と同様にＮＤフィルタ２の基材も透明である。従って、透明部２ｅには蒸着膜は形成されない。ただし、透明の蒸着膜を基材上に形成して透明部２ｅを構成してもよい。
【００２０】
ＮＤフィルタ１、２は、地板４に取り付けられており、不図示のカバー部材によって地板４から脱落しないように保持されている。
アクチュエータ３は、地板４の面のうち、ＮＤフィルタ１、２が配置される側とは反対側の面に、不図示のビスなどで地板４に取り付けられている。
【００２１】
アクチュエータ３の面のうち、地板４と対向する面（ＮＤフィルタ１、２が配置される側の面）には、駆動レバー３ａが回転可能に軸支されている。駆動レバー３ａの先端には、棒状の部材の一例である駆動ピン３ｂがＮＤフィルタ１、２側に向けて突出している。駆動ピン３ｂは、地板４の貫通穴４ｄ、ＮＤフィルタ１の長穴１ｂ、およびＮＤフィルタ２の長穴２ｂに挿通される。
【００２２】
地板４には、光束が通過する開口部４ａと、ＮＤフィルタ１を軸支する軸４ｂと、ＮＤフィルタ２を軸支する軸４ｃと、アクチュエータ３の駆動ピン３ｂを通す貫通穴４ｄとが形成されている。
アクチュエータ３の駆動ピン３ｂは、ＮＤ使用位置とＮＤ退避位置との間を移動する。ＮＤ使用位置は、ＮＤフィルタ１、２の蒸着膜を開口部４ａに対向する領域に配置して光量を減光する際の駆動ピン３ｂの位置である。ＮＤ退避位置は、ＮＤフィルタ１、２の蒸着膜を開口部４ａから退避させる際の駆動ピン３ｂの位置である。アクチュエータ３の駆動ピン３ｂの動作は、駆動装置１２４により制御される。
【００２３】
ＮＤフィルタ１、２は、それぞれ、アクチュエータ３の駆動ピン３ｂの動作に伴って、軸４ｂ、４ｃを回動軸として回動する。
ＮＤフィルタ１、２により開口部４ａを通過する光量を減らす際（即ち、ＮＤフィルタ１、２を使用する際）には、駆動ピン３ｂは地板４の貫通穴４ｄの使用時当接面４ｅに当接される。ＮＤフィルタ１、２を退避させる際には、駆動ピン３ｂは地板４の貫通穴４ｄの退避時当接面４ｆに当接される。ＮＤフィルタ１とＮＤフィルタ２は、貫通穴４ｄにより規制される駆動ピン３ｂの位置によって、蒸着膜が開口部４ａを覆う使用位置と蒸着膜が開口部４ａから退避する退避位置の間を移動する。
【００２４】
図３は、駆動ピン３ｂがＮＤ使用位置にある場合のＮＤフィルタ１、２の位置関係の一例を示す図である。図３では、ＮＤフィルタ１、２および地板４の正面図により、ＮＤフィルタ１、２の位置関係を示す。図４は、駆動ピン３ｂがＮＤ使用位置にある場合のＮＤフィルタ１、２の光学濃度の一例を示す図である。図４の横方向の各位置は、図３の切断線ＡＡの各位置を表す。図４の上段の図は、図３の切断線ＡＡで切った場合の地板４の断面図である。図４の中段の図は、図３の切断線ＡＡの方向におけるＮＤフィルタ１、２の光学濃度の分布をハッチングにより個別に示す図である。図４の下段の図は、図４の中段に示すＮＤフィルタ１、２の光学濃度の分布を合成した分布をハッチングにより示す図である。図４において、ハッチングの高さが高いほど、ＮＤフィルタ１、２の光学濃度が高いことを表す。
【００２５】
図３、図４に示す通り、駆動ピン３ｂがＮＤ使用位置にある場合（即ち、ＮＤフィルタ１、２により開口部４ａを通過する光を減光する場合）、ＮＤフィルタ１の均一濃度部１ｃと、ＮＤフィルタ２の透明部２ｅとが開口部４ａと対向する領域で重なる。また、ＮＤフィルタ１のグラデーション部１ｄとＮＤフィルタ２のグラデーション部２ｄとが開口部４ａと対向する領域で重なる。また、ＮＤフィルタ１の透明部１ｅとＮＤフィルタ２の均一濃度部２ｃとが開口部４ａと対向する領域で重なる。
ここで、均一濃度部１ｃ、２ｃの光学濃度は同じである。また、グラデーション部１ｄ、２ｄ同士が過不足なく重なった場合、当該重なった領域では、２つのＮＤフィルタ１、２の合成濃度が均一濃度部１ｃ、２ｃにおける光学濃度と略同じになるように、グラデーション部１ｄ、２ｄの光学濃度の分布が定められる。
【００２６】
図５は、駆動ピン３ｂがＮＤ退避位置にある場合のＮＤフィルタ１、２の位置関係の一例を示す図である。図５でも、図３と同様に、ＮＤフィルタ１、２および地板４の正面図により、ＮＤフィルタ１、２の位置関係を示す。図６は、駆動ピン３ｂがＮＤ退避位置にある場合のＮＤフィルタ１、２の光学濃度を示す図である。図６の横方向の各位置は、図５の切断線ＢＢの各位置を表す。図６の上段の図は、図５の切断線ＢＢで切った場合の地板４の断面図である。図６の下段の図は、図５の切断線ＢＢの方向におけるＮＤフィルタ１、２の光学濃度の分布をハッチングにより個別に示す図である。図６においても、図４と同様に、ハッチングの高さが高いほど、ＮＤフィルタ１、２の光学濃度が高いことを表す。
【００２７】
図５、図６に示す通り、ＮＤフィルタ１、２がＮＤ退避位置にある場合、開口部４ａを各ＮＤフィルタ１、２の透明部１ｅ、２ｅのみが覆い、グラデーション部１ｄ、２ｄおよび均一部１ｃ、２ｃは、開口部４ａと対向する領域に位置しないようにする。このようにＮＤフィルタ１、２により開口部４ａを通過する光を減光しない場合には、各ＮＤフィルタ１、２の均一濃度部１ｃ、２ｃ、グラデーション部１ｄ、２ｄ、および透明部１ｅ、２ｅのうち、透明部１ｅ、２ｅのみが開口部４ａと対向する。
【００２８】
また、本実施形態では、駆動ピン３ｂがＮＤ退避位置にある場合、ＮＤフィルタ１、２の透明部１ｅ、２ｅが開口部４ａを完全に覆うようにする。仮に、ＮＤフィルタ１、２の透明部１ｅ、２ｅがそれぞれ開口部４ａを完全に覆うサイズよりも小さく構成されている場合、ＮＤフィルタ１、２の基材（例えばＰＥＴシート）の端面に光線が当たり、画像にゴーストが発生する虞がある。また、開口部４ａ内の場所によってＮＤフィルタ１、２が存在する範囲と存在しない範囲とが生じてしまい、光路によってＮＤフィルタ１，２の基材の厚みと屈折率による光路長差が生じる場合がある。この場合、ＭＴＦ（Modulation Transfer Function）が低下するなど画質に影響を与える虞がある。
【００２９】
これに対し本実施形態では、ＮＤフィルタ１、２が使用時であるか退避時であるかによらず、常に２枚分の基材が開口部４ａ内にあることから、ＮＤフィルタ１、２の基材の端面による光線の反射や、光路長差による画質の低下の虞が無い。
【００３０】
図５、図６に示す通り、ＮＤフィルタ１、２の退避時には、開口部４ａのすぐ外側にグラデーション部１ｄ、２ｄが退避する。従って、各ＮＤフィルタ１、２の使用時と退避時の間の移動量（の最小値）は、均一濃度部１ｃ、２ｃの幅とグラデーション部１ｄ、２ｄの幅とを合算した量となる。即ち、各ＮＤフィルタ１、２の使用時と退避時の間の移動量（の最小値）は、開口部４ａの直径よりも小さい。そのため、従来の単一のＮＤフィルタで構成される光量調節装置よりも、退避スペースが小さくなり、光量調節装置１０全体の外径を小さくすることができる。また、２つのＮＤフィルタの光学濃度を合成して光学濃度を無段階に調節することを目的として、グラデーション領域の幅を広く取った特許文献１に記載の技術と比較しても、光量調節装置全体の外径を小さくすることができる。また、透明領域も含めて開口部から退避させる特許文献２に記載の技術と比較しても、光量調節装置全体の外径を小さくすることができる。
【００３１】
ところで、ＮＤフィルタ１、２の使用時に、ＮＤフィルタ１、２の位置に誤差が発生することがある。この誤差の要因として支配的なパラメータは、レバー比αである。レバー比αは、ＮＤフィルタ１、２の穴１ａ、２ａ（即ち軸４ｂ、４ｃ）から光軸中心までの距離に対する、ＮＤフィルタ１、２の穴１ａ、２ａ（即ち軸４ｂ、４ｃ）からＮＤフィルタ１、２の使用時の停止位置を決めるストッパまでの距離の比である。
【００３２】
本実施形態では、ＮＤフィルタ１、２の使用時の停止位置を決めるストッパの機能は、駆動ピン３ｂが当接する当接面４ｅにより実現される。仮に、軸４ｂから当接面４ｅまでの距離を３［ｍｍ］とし、軸４ｂから光軸中心までの距離を１５［ｍｍ］とすると、レバー比αは５（＝１５÷３）となる。この場合に、軸４ｂ、４ｃの位置に対して当接面４ｅの位置が、駆動ピン３ｂの移動方向に０．１［ｍｍ］ずれると、光軸中心に対するＮＤフィルタ１、２の使用時の停止位置のずれ量は、レバー比α分だけ増幅し、０．５（＝５×０．１）［ｍｍ］になる。
【００３３】
ＮＤフィルタ１、２の使用時の停止位置に誤差が生じると、グラデーション部１ｄ、２ｄの重なり量が変化し、ＮＤフィルタ１、２を合成した合成濃度が変化する。例えば、ＮＤフィルタ１、２が、当該誤差がないときに比べて行き過ぎると、ＮＤフィルタ１、２を合成した合成濃度は高くなる。
【００３４】
図７は、駆動ピン３ｂがＮＤ使用位置にある場合のＮＤフィルタ１、２の位置関係であって、ＮＤフィルタ１、２が停止位置の誤差分だけ行き過ぎた場合の位置関係を示す図である。図７でも、図３と同様に、ＮＤフィルタ１、２および地板４の正面図により、ＮＤフィルタ１、２の位置関係を示す。図８は、駆動ピン３ｂがＮＤ使用位置にある場合のＮＤフィルタ１、２の光学濃度であって、ＮＤフィルタ１、２が停止位置の誤差分だけ行き過ぎた場合の光学濃度を示す図である。図８の横方向の各位置は、図７の切断線ＣＣの各位置を表す。図８の上段の図は、図７切断線ＣＣで切った場合の地板４の断面図である。図８の中段の図は、図７の切断線ＣＣの方向におけるＮＤフィルタ１、２の光学濃度の分布をハッチングにより個別に示す図である。図８の下段の図は、図８の中段に示すＮＤフィルタ１、２の光学濃度の分布を合成した分布をハッチングにより示す図である。図８においても、図４と同様にハッチングの高さが高いほど、ＮＤフィルタ１、２の光学濃度が高いことを表す。
【００３５】
図７、図８に示す通り、グラデーション部１ｄ、２ｄの合成濃度は、各ＮＤフィルタ１、２が行き過ぎた分だけ高くなる。しかしながら、ＮＤフィルタ１、２のそれぞれの光学濃度は、透明部１ｅ、２ｅと接する位置から均一濃度部１ｃ、２ｃに接する位置に向けて連続的に増加する。従って、均一濃度部２ｃと透明部１ｅとが重なり合う領域Ａと、グラデーション部１ｄ、２ｄ同士が重なり合う領域Ｂとの間で、グラデーション部１ｄ、２ｄの合成濃度が不連続に変化することを避けられる（図８の下段の図を参照）。これによって、２つのＮＤフィルタ１、２の停止位置に誤差が発生しても、ボケ像の不自然な濃淡が目立ちにくくなるなど、画質劣化を防ぐ効果が得られる。
【００３６】
次に、グラデーション部１ｄ、２ｄにおける単位距離（ここでは１［ｍｍ］とする）当たりの光学濃度の変化量である濃度変化率［／ｍｍ］と、グラデーション部１ｄ、２ｄの幅の設定方法の一例について説明する。
【００３７】
前述の通り、各ＮＤフィルタ１、２の透明部１ｅ、２ｅと均一濃度部１ｃ、２ｃとの間にグラデーション部１ｄ、２ｄを設けることによって、ＮＤフィルタ１、２の停止位置に誤差が発生しても、ＮＤフィルタ１、２の合成濃度の急激な変化を防ぐことができる。グラデーション部１ｄ、２ｄの幅が広いほど、グラデーション部１ｄ、２ｄ同士が重なる領域の合成濃度の変化は小さくなる。一方で、グラデーション部１ｄ、２ｄの幅が広すぎると、光量調節装置１０の小型化を阻害する。
【００３８】
各ＮＤフィルタ１、２の使用時の停止位置を決めるストッパの、駆動ピン３ｂの移動方向の位置誤差をδとし、レバー比をαとすると、光軸中心からＮＤフィルタ１、２の停止位置までの距離の誤差はδ×αで表される。尚、前述したように、本実施形態では、ＮＤフィルタ１、２の使用時の停止位置を決めるストッパの機能は、駆動ピン３ｂが当接する当接面４ｅにより実現される。
【００３９】
２つのＮＤフィルタ１、２がそれぞれδ×αだけ停止位置の誤差を持つとすると、図８の領域Ａと領域Ｂとの間の距離Ｌは、当該停止位置の誤差が２つ分合算されるため、以下の（１）式で表される。
Ｌ＝δ×α×２  ・・・（１）
【００４０】
また、グラデーション部１ｄ、２ｄの単位距離当たりの濃度変化量である濃度変化率をｄとする。均一濃度部２ｃと透明部１ｅとが重なる領域Ａの光学濃度Ｄに対する、グラデーション部１ｄ、２ｄ同士が重なる領域Ｂの前記停止位置の誤差によって生じる光学濃度Ｄの差をΔＤとする。そうすると、以下の（２）式が成り立つ。
ΔＤ＝Ｌ×ｄ  ・・・（２）
尚、光学濃度Ｄは、１０-D＝透過率を満たす値である。また、以下の説明では、ΔＤを、必要に応じて、各ＮＤフィルタ１、２の停止位置の誤差により生じる合成濃度の変化量と称する。
【００４１】
ここで、各ＮＤフィルタ１、２の停止位置の誤差により生じる合成濃度の変化量ΔＤが２段分程度（光学濃度０．６相当）になると、ボケ像の濃淡が目立つなど、画質への影響が発生する。即ち、画質への影響を考えると、以下の（３）式の条件を満たすことが必要である。
ΔＤ＜０．６  ・・・（３）
【００４２】
一方、各ＮＤフィルタ１、２のグラデーション部１ｄ、２ｄの濃度変化率ｄが小さすぎると、画質への影響は低減するものの、グラデーション部１ｄ、２ｄの幅が大きくなってしまい、光量調節装置１０の小型化を阻害する。各ＮＤフィルタ１、２のグラデーション部１ｄ、２ｄの濃度変化率ｄの下限は、各ＮＤフィルタ１、２の使用時の停止位置の誤差による画質への影響を十分に低減できる値によって定められる。
【００４３】
各ＮＤフィルタ１、２の停止位置の誤差により生じる合成濃度の変化量ΔＤが３分の１段分程度（光学濃度０．１相当）になると、ボケ像の濃淡はほぼ目立たなくなる。このことから、以下の（４）式の条件を満たすことで、光量調節装置１０の小型化と画質への影響の低減との双方を満足できる。
０．１＜ΔＤ＜０．６  ・・・（４）
【００４４】
（１）式、（２）式、および（４）式から、以下の（５）式が得られる。
０．１＜δ×α×２×ｄ＜０．６  ・・・（５）
ここで、各ＮＤフィルタ１、２の使用時の停止位置を決めるストッパの、駆動ピン３ｂの移動方向の位置誤差δを０．１［ｍｍ］とすると（δ＝０．１）、（５）式より、以下の（６）式が得られる。
０．５／α＜ｄ＜３／α  ・・・（６）
【００４５】
各ＮＤフィルタ１、２の使用時の停止位置を決めるストッパの、駆動ピン３ｂの移動方向の位置誤差δが０．１［ｍｍ］である場合、（６）式を満たす範囲で各ＮＤフィルタ１、２のグラデーション部１ｄ、２ｄの濃度変化率ｄを設定する。このようにすることで、光量調節装置１０の小型化と、画質への影響の低減とを共に満足できる。
例えば、均一濃度部１ｃ、２ｃの光学濃度Ｄを０．９（３段分、透過率１２．５［％］）とする。前述の通り、軸４ｂから当接面４ｅまでの距離を３［ｍｍ］とし、軸４ｂから光軸中心までの距離を１５［ｍｍ］とすると、レバー比αは５となる。
【００４６】
画質を考えると、各ＮＤフィルタ１、２の停止位置の誤差により生じる合成濃度の変化量ΔＤとして、光学濃度Ｄを０．６（２段分）以下に抑えることが好ましい。また、光量調節装置１０の小型化を考慮すると、各ＮＤフィルタ１、２の停止位置の誤差により生じる合成濃度の変化量ΔＤは、光学濃度で０．１（３分の１段分）あれば十分に画質を許容できると共に光量調節装置１０の小型化に寄与する。
【００４７】
よって、各ＮＤフィルタ１、２の使用時の停止位置を決めるストッパの、駆動ピン３ｂの移動方向の位置誤差δを０．１［ｍｍ］とすると（δ＝０．１）、各ＮＤフィルタ１、２のグラデーション部１ｄ、２ｄの濃度変化率ｄを以下の（７）式の範囲で設定する。このようにすることで、光量調節装置１０の小型化と、画質への影響の低減とを両立することができる。
０．１＜ｄ＜０．６  ・・・（７）
【００４８】
グラデーション部１ｄ、２ｄの幅は、Ｄ／ｄであることから、均一濃度部１ｃ、２ｃの光学濃度Ｄが０．９である場合、グラデーション部１ｄ、２ｄの幅は、１．５［ｍｍ］以上９．０［ｍｍ］以下であることが好ましい。
【００４９】
以上のように本実施形態では、使用位置と退避位置との間で軸４ｂ、４ｃを回動軸として回動可能となるようにＮＤフィルタ１、２を地板４に取り付ける。ＮＤフィルタ１、２は、それぞれ、均一濃度部１ｃ、２ｃ、グラデーション部１ｄ、２ｄ、および透明部１ｅ、２ｅを有する。ＮＤフィルタ１、２が退避位置にある場合、光線が通過する開口部４ａと対向する領域において、ＮＤフィルタ１、２の透明部１ｅ、２ｅを重ね、透明部１ｅ、２ｅで開口部４ａの領域全体を覆うようにする。ＮＤフィルタ１、２が使用位置にある場合、光線が通過する開口部４ａと対向する領域において、ＮＤフィルタ１、２のグラデーション部１ｄ、２ｄを重ね、グラデーション部１ｄ、２ｄと均一濃度部１ｃ、２ｃで開口部４ａの領域全体を覆うようにする。また、グラデーション部１ｄ、２ｄが過不足なく重なった場合の合成濃度が、均一濃度部１ｃ、２ｃの光学濃度と略同じになるようにする。したがって、光量調節装置１０を小型化することができる。
また、本実施形態では、（５）式を満たす範囲で各ＮＤフィルタ１、２のグラデーション部１ｄ、２ｄの濃度変化率ｄを設定する。したがって、光量調節装置１０の小型化と、画質への影響の低減との双方を実現することができる。
【００５０】
（第２の実施形態）
次に、第２の実施形態を説明する。第１の実施形態では、各ＮＤフィルタ１、２の使用時の停止位置の誤差を考慮してグラデーション部１ｄ、２ｄを設定し、停止位置の誤差が発生してもボケ像の影響を低減する場合を例に挙げて説明した。しかしながら、ボケ像が無視できるほど被写界深度が深い光学系を用いる場合や、ＮＤフィルタの使用時の停止位置の誤差を十分に小さくできる場合には、必ずしもグラデーション部１ｄ、２ｄを設定する必要はない。このように本実施形態では、第１の実施形態のＮＤフィルタ１、２から、グラデーション部１ｄ、２ｄを除いたものになる。したがって、本実施形態の説明において第１の実施形態と同一の部分については、図１〜図８に付した符号と同一の符号を付すなどして詳細な説明を省略する。
【００５１】
図９は、駆動ピン３ｂがＮＤ使用位置およびＮＤ退避位置にある場合のＮＤフィルタ２１、２２の光学濃度を示す図である。図９の上段の図は、図４の上段の図と同じである。図９の中段の図は、図４の中段の図に対応する。図９の下段の図は、図６の下段の図に対応する。
即ち、図９の中段の図は、駆動ピン３ｂがＮＤ使用位置にある場合のＮＤフィルタ１、２の光学濃度の分布をハッチングにより示す図である。また、図９の下段の図は、駆動ピン３ｂがＮＤ退避位置にある場合のＮＤフィルタ１、２の光学濃度の分布をハッチングにより示す図である。図９においても、図４と同様に、ハッチングの高さが高いほど、ＮＤフィルタ１、２の光学濃度が高いことを表す。
【００５２】
ＮＤフィルタ２１、２２の形状は、第１の実施形態のＮＤフィルタ１、２の形状と同じである。図９に示す通り、各ＮＤフィルタ２１、２２は、グラデーション部を有さず、透明でない領域の一例である均一濃度部２１ｃ、２２ｃと、透明な領域の一例である透明部２１ｅ、２２ｅとを有する。均一濃度部２１ｃ、２２ｃの幅は、少なくとも開口部４ａの半分を覆うことが出来れば良く、その場合、光量調整装置を最も小型に構成できる。透明部２１ｅ、２２ｅの幅は、開口部４ａの全体を覆うサイズを有する。例えば、図２において、均一濃度部１ｃおよびグラデーション部１ｄの領域を均一濃度部２１ｃとし、透明部１ｅの領域を透明部２１ｅとしたものがＮＤフィルタ２１になる。また、図２において、均一濃度部２ｃおよびグラデーション部２ｄの領域を均一濃度部２２ｃとし、透明部２ｅの領域を透明部２２ｅとしたものがＮＤフィルタ２２になる。
【００５３】
（第３の実施形態）
次に、第３の実施形態を説明する。第１の実施形態では、各ＮＤフィルタ１、２のグラデーション部１ｄ、２ｄの濃度変化率ｄが一定である場合を例に挙げて説明した。これに対し、本実施形態では、各ＮＤフィルタのグラデーション部の濃度変化率ｄを一定にしない場合について説明する。このように本実施形態と第１の実施形態は、各ＮＤフィルタのグラデーション部の濃度変化率ｄが異なる。したがって、本実施形態の説明において第１の実施形態と同一の部分については、図１〜図８に付した符号と同一の符号を付すなどして詳細な説明を省略する。
【００５４】
図１０は、駆動ピン３ｂがＮＤ使用位置にある場合のＮＤフィルタ３１、３２の光学濃度を示す図である。図１０の上段、中段、下段の図は、それぞれ、図４の上段、中段、下段の図に対応する。図１０の中段の図は、ＮＤフィルタ３１、３２の光学濃度の分布をハッチングにより個別に示す図である。図１０の下段の図は、図１０の中段に示すＮＤフィルタ３１、３２の光学濃度の分布を合成した分布をハッチングにより示す図である。図１０においても、図４と同様に、ハッチングの高さが高いほど、ＮＤフィルタ３１、３２の光学濃度が高いことを表す。
【００５５】
図１０に示すように、グラデーション領域の一例であるグラデーション部３１ｄ、３２ｄの光学濃度の分布が直線的（濃度変化率ｄが一定）である必要はない。例えば、グラデーション部３２ｄの濃度変化率ｄを、透明部２ｅから均一濃度部２ｃに向けてなだらかに増加させる（立ち上げる）ようにしてもよい。その場合、例えば、グラデーション部３１ｄの濃度変化率ｄを、均一濃度部１ｃから透明部１ｅに向けてなだらかに減少させる（寝かせる）ようにすればよい。駆動ピン３ｂをＮＤ使用位置に位置させ、ＮＤフィルタ３１、３２を使用する際のＮＤフィルタ３１、３２の合成濃度が、開口部４ａと対向する領域の全域にわたって略均一となり、且つ、均一濃度部１ｃ、２ｃの光学濃度と略同じになるようにする。
【００５６】
例えば、このような濃度変化率（光学濃度の分布）を有するグラデーション部３１ｄ、３２ｄを図２に示すグラデーション部１ｄ、２ｄの領域に設けることにより、ＮＤフィルタ３１、３２を実現することができる。その他のＮＤフィルタ３１、３２の構成は、第１の実施形態のＮＤフィルタ１、２と同じ構成で実現することができる。
【００５７】
（第４の実施形態）
次に、第４の実施形態を説明する。第１〜第３の実施形態では、アクチュエータ３の駆動ピン３ｂが地板４の貫通穴４ｄの使用時当接面４ｅに当接されることでＮＤフィルタ１、２のＮＤ使用位置が決まる場合を例に挙げて説明した。これに対し、本実施形態では、ＮＤフィルタのＮＤ使用位置を調整可能とする構成について説明する。このように本実施形態と第１の実施形態は、２つのＮＤフィルタのＮＤ使用位置を決めるための構成が主として異なる。したがって、本実施形態の説明において第１の実施形態と同一の部分については、図１〜図８に付した符号と同一の符号を付すなどして詳細な説明を省略する。
【００５８】
図１１は、本実施形態に掛る光量調節装置の分解斜視図である。
光量調節装置４０は、ＮＤフィルタ４１、ＮＤフィルタ４２、アクチュエータ３、地板４４、およびストッパ部材５を有する。
ストッパ部材５は、ＮＤフィルタ４１、４２のＮＤ使用位置を決める部材である。ストッパ部材５の地板４４と対向する側の面には案内突起５ａ、５ｂが設けられている。地板４４には、第１の実施形態で説明した地板４に対し、ストッパ部材５の案内突起５ａ、５ｂをガイドするための案内溝４ｇが設けられている。案内溝４ｇは、地板４４の径方向にのびる溝である。地板４４のその他の構成は、第１の実施形態で説明した地板４と同じである。
【００５９】
案内突起５ａ、５ｂを地板４４の案内溝４ｇに入れる。そして、地板４４の案内溝４ｇの範囲内で地板４４の径方向（紙面上下方向）に自由にストッパ部材５の位置を設定し、設定した位置でストッパ部材５を地板４４に対して接着して固定することが可能である。第１〜第３実施形態と異なり、地板４４の貫通穴４ｄの使用時当接面４ｅは、案内突起５ａまたは５ｂが案内溝４ｇの端部に位置するときに、アクチュエータ３の駆動ピン３ｂから十分に離れた位置に設定される。即ち、案内突起５ａまたは５ｂが案内溝４ｇの端部に位置するときに、アクチュエータ３の駆動ピン３ｂが、地板４４の貫通穴４ｄの使用時当接面４ｅと当接することが無いようにする。一方、ＮＤフィルタ４１、４２を退避させる際には、アクチュエータ３の駆動ピン３ｂが地板４４の貫通穴４ｄの退避時当接面４ｆに当接されるようにする。本実施形態では、このようになるように地板４４の貫通穴４ｄを形成する。
【００６０】
ＮＤフィルタ４１、４２には、ＮＤフィルタ４１、４２の使用時にストッパ部材５に当接する当接部１ｆ、２ｆがそれぞれ設けられている。当接部１ｆ、２ｆは、ＮＤフィルタ４１、４２の外周の一部を形成する。図１１に示す例では、ＮＤフィルタ４１の当接部１ｆは、均一濃度部１ｃおよびグラデーション部１ｄが形成される領域を挟んで、ＮＤフィルタ４１の回動軸（穴１ａ）と反対側の端部（回動軸から離れた位置）に設けられる。同様に、ＮＤフィルタ４２の当接部２ｆは、均一濃度部２ｃおよびグラデーション部２ｄが形成される領域を挟んで、ＮＤフィルタ４２の回動軸（穴２ａ）と反対側の端部（回動軸から離れた位置）に設けられる。以下の説明では、均一濃度部およびグラデーション部が形成される領域を必要に応じて蒸着領域と称する。ＮＤフィルタ４１、４２のその他の構成は、第１の実施形態で説明したＮＤフィルタ１、２と同じである。
【００６１】
図１２は、ＮＤフィルタ４１、４２の基準となる位置関係の一例を示す図である。図１２に示す例では、ストッパ部材５は、その移動可能範囲内（案内溝４ｇ）の略中央で接着固定されている。このときＮＤフィルタ４１、４２は、設計称呼の位置にある。
【００６２】
図１３は、ＮＤフィルタ４１、４２の重なり量を調整する様子の第１の例を示す図である。図１３に示す例では、ストッパ部材５は、その移動可能範囲内（案内溝４ｇ）の紙面下方向（地板４４の中心に向かう方向）に偏った位置で接着され固定されている。このときＮＤフィルタ４１は、設計称呼の位置よりも紙面右方向（時計回りの方向）にあり、ＮＤフィルタ４２は、設計称呼の位置よりも紙面左方向（反時計回りの方向）にある（図１３のＮＤフィルタ４１、４２の傍らに示す矢印線を参照）。
【００６３】
図１４は、ＮＤフィルタ４１、４２の重なり量を調整する様子の第２の例を示す図である。図１４に示す例では、ストッパ部材５は、その移動可能範囲内（案内溝４ｇ）の紙面上方向（地板４４の外周に向かう方向）に偏った位置で接着され固定されている。このときＮＤフィルタ４１は、設計称呼の位置よりも紙面左方向（反時計回りの方向）にあり、ＮＤフィルタ４２は設計称呼の位置よりも紙面右方向（時計回りの方向）にある（図１４のＮＤフィルタ４１、４２の傍らに示す矢印線を参照）。
【００６４】
このように本実施形態では、ストッパ部材５の位置を調節することで、ＮＤフィルタ４１、４２を使用する際のＮＤフィルタ４１、４２の重なり量を調節することが可能になる。ＮＤフィルタ４１、４２の蒸着範囲（前述した蒸着膜が形成される範囲）は、蒸着時の地板４に対する位置ずれ、ＮＤフィルタ４１、４２や地板４４等の部品の寸法誤差、組み立て誤差等により、光量調節装置４０の個体ごとに異なる。そのため光量調節装置４０の組み立て時に、ＮＤフィルタ４１、４２を使用する際のＮＤフィルタ４１、４２の重なり量をチェックし、ストッパ部材５の位置を調節することで、蒸着範囲の誤差を吸収し適切な重なり量を得ることができる。
【００６５】
ＮＤフィルタ４１、４２の当接部１ｆ、２ｆは、その回動軸（穴１ａ、２ａ）から遠いほど、ストッパ部材５の位置の調整量に対する、ＮＤフィルタ４１、４２の重なり量の調整敏感度が下がるので、ＮＤフィルタ４１、４２の重なり量を調整し易くなる。そこで、例えば、図１１〜図１４に示したように、蒸着領域を挟んで、ＮＤフィルタ４１、４２の回動軸（穴１ａ、１ｂ）から遠い先端部に、当接部１ｆ、２ｆを設けるのが好ましい。ただし、ＮＤフィルタ４１、４２を使用する際のＮＤフィルタ４１、４２の重なり量を調整することが可能になるようにしていれば、当接部１ｆ、２ｆの位置は、必ずしも図１１〜図１４に示す位置である必要はない。
【００６６】
また、図１１〜図１４に示したように、一つのストッパ部材５を２枚のＮＤフィルタ４１、４２の両方のストッパとして機能させることで、一つのストッパ部材５の位置を調整することで２枚のＮＤフィルタ４１、４２の両方が調整される。このため、調整工程がより簡易になる。ただし、ストッパ部材は一つに限定されない。例えば、ＮＤフィルタ４１、４２のそれぞれに対して個別にストッパ部材を設けてもよい。
また、本実施形態を、第２の実施形態または第３の実施形態に適用してもよい。
【００６７】
尚、前述した実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【００６８】
（その他の実施例）
本発明は、以下の処理を実行することによっても実現される。即ち、まず、以上の実施形態の機能を実現するソフトウェア（コンピュータプログラム）を、ネットワーク又は各種記憶媒体を介してシステム或いは装置に供給する。そして、そのシステム或いは装置のコンピュータ（又はＣＰＵやＭＰＵ等）が当該コンピュータプログラムを読み出して実行する。
【符号の説明】
【００６９】
１、２、２１、２２、３１、３２、４１、４２：ＮＤフィルタ、３：アクチュエータ、４、４４：地板、５：ストッパ部材
【図１】
0006727800.tif 000002
【図２】
0006727800.tif 000003
【図３】
0006727800.tif 000004
【図４】
0006727800.tif 000005
【図５】
0006727800.tif 000006
【図６】
0006727800.tif 000007
【図７】
0006727800.tif 000008
【図８】
0006727800.tif 000009
【図９】
0006727800.tif 000010
【図１０】
0006727800.tif 000011
【図１１】
0006727800.tif 000012
【図１２】
0006727800.tif 000013
【図１３】
0006727800.tif 000014
【図１４】
0006727800.tif 000015